(57)【要約】【課題】本発明は、デジタル情報又はアナログ情報を音声出力する場合に選択された音声情報のみスピーカから出力して二重に音声出力されることがなく消費電力を低減することができる音声情報出力制御回路及びそれを備えた表示装置を提供することを目的とするものである。【解決手段】音声情報変換回路３１、音声情報切換回路３２、音声情報調整回路３３及び増幅回路３４は、スイッチ回路３６及び３７を介して接地されており、Ｄ／Ａ変換回路４０及び増幅回路４１は、スイッチ回路４３を介して接地されている。そして、スイッチ回路３６、３７及び４３は本体ＣＰＵ１０と接続されており、本体ＣＰＵ１０からの信号によりオン、オフされるようになっている。選択された音声出力モードに基づいて本体ＣＰＵ１０からの信号によりスイッチ回路を適宜オンすることで、使用しない回路の電源供給を停止する。【選択図】        図２
2004282138.tif 000002
【特許請求の範囲】
【請求項１】
デジタル化された音声情報を生成するデジタル情報生成手段と、アナログ化された音声情報を生成するアナログ情報生成手段と、デジタル情報生成手段及びアナログ情報生成手段のいずれか一方の音声情報を出力するための選択信号を出力する選択手段と、選択手段からの選択信号に応答して選択されなかった生成手段の電源供給を停止する電源供給制御手段とを備えたことを特徴とする音声情報出力制御回路。
【請求項２】
デジタル情報生成手段は、ＤＶＤ又はＣＤに記録された記録情報から音声情報を再生することを特徴とする請求項１に記載の音声情報出力制御回路。
【請求項３】
アナログ情報生成手段は、テレビジョン受信信号から音声情報を再生することを特徴とする請求項１又は２に記載の音声情報出力制御回路。
【請求項４】
請求項１から３のいずれかに記載の音声情報出力制御回路を備えるとともに、アナログ情報生成手段からの音声情報を出力する内蔵スピーカと、アナログ情報生成手段からの音声情報を出力する第一外部出力端子と、デジタル情報生成手段からの音声情報を出力する第二外部出力端子とを備えていることを特徴とする表示装置。
【請求項５】
選択手段は、選択項目を画面表示する手段と、選択項目に関する操作者の操作情報に基づき選択信号を出力する手段とを備えていることを特徴とする請求項４に記載の表示装置。
【発明の詳細な説明】
【０００１】
【発明の属する技術分野】
本発明は、例えば、ＤＶＤ（「Ｄｉｇｉｔａｌ  Ｖｅｒｓａｔｉｌｅ  Ｄｉｓｋ」の略称）やＣＤ（「Ｃｏｍｍｐａｃｔ  Ｄｉｓｃ」の略称）の再生機能を備えたテレビジョン受像機のように、ＤＶＤ、ＣＤ等のデジタル情報及びＴＶ等のアナログ情報を処理して出力するための音声情報出力制御回路及びそれを備えた表示装置に関する。
【０００２】
【従来の技術】
近年、ＤＶＤ、ＨＤＤ等の大容量の情報記録装置が実用化されるとともに、映像情報及び音声情報をデジタル化して記録しＣＲＴ等のモニタで表示することが行われている。家庭内には既にテレビが普及していることから、従来のテレビジョン受像機にこうしたデジタル化された映像情報や音声情報を再生させる機能を一体化させた複合装置が開発されている。
【０００３】
こうした複合装置において、従来のアナログ化された音声情報とともにデジタル化された音声情報も出力する必要があるため、それに対応して接続するスピーカの数が増加してこれらのスピーカへの出力制御を行う必要がある。例えば、特許文献１では、テレビジョン受像機内蔵のＬ、Ｒスピーカをドルビープロロジック又はドルビーデジタルのセンタースピーカとして使用する場合にテレビジョン受像機内蔵の低音増強回路及びサブウーファを有効活用するために、切換スイッチ回路がセンターチャネル信号入力端子又はＬ、Ｒ音声信号入力端子のいずれを選択している場合でも、低音増強回路により低音増強がなされるようにした点が記載されている。また、特許文献２には、左右２つのスピーカと第３のスピーカとを内蔵するテレビジョン受像機において、２チャンネル音声情報が入力される場合にはそれを合成した音声情報を第３のスピーカに出力するとともに５．１チャンネル音声情報が入力される場合にはそれを自動判別して第３のスピーカに割り当てられた情報のみ第３のスピーカに出力するようにした音声出力切替回路が記載されている。
【０００４】
【特許文献１】
特開平１０−１９１２０３号公報
【特許文献２】
特開２００１−３０９４９９号公報
【０００５】
【発明が解決しようとする課題】
上述した先行技術文献では、テレビジョン受像機に内蔵されたスピーカを使用することを前提に音声情報の出力制御を行っているが、デジタル化された音声情報は、ＴＶ等のアナログ化された音声情報よりもデータ量が多く、より高品質の音声出力が可能であるため、内蔵スピーカより高性能の外部スピーカを接続して使用したほうが高品質の音声を楽しむことができる。
【０００６】
しかしながら、上述したような従来のテレビジョン受像機では、外部スピーカを接続して使用した場合に内蔵スピーカからも音声が出力されるようになる。このように、二重に音声が出力されると、外部スピーカからの高品質の音声が内蔵スピーカからの音声によりその品質が減殺されてしまう。
【０００７】
そこで、本発明は、デジタル化された音声情報又はアナログ化された音声情報を出力する場合に選択された音声情報のみスピーカから出力されるようにして二重に音声出力されることがないようにするとともに消費電力を低減することができる音声情報出力制御回路及びそれを備えた表示装置を提供することを目的とするものである。
【０００８】
【課題を解決するための手段】
本発明に係る音声情報出力制御回路は、デジタル化された音声情報を生成するデジタル情報生成手段と、アナログ化された音声情報を生成するアナログ情報生成手段と、デジタル情報生成手段及びアナログ情報生成手段のいずれか一方の音声情報を出力するための選択信号を出力する選択手段と、選択手段からの選択信号に応答して選択されなかった生成手段の電源供給を停止する電源供給制御手段とを備えたことを特徴とする。さらに、デジタル情報生成手段は、ＤＶＤ又はＣＤに記録された記録情報から音声情報を再生することを特徴とする。さらに、アナログ情報生成手段は、テレビジョン受信信号から音声情報を再生することを特徴とする。
【０００９】
また、本発明に係る表示装置は、上記の音声情報出力制御回路を備えるとともに、アナログ情報生成手段からの音声情報を出力する内蔵スピーカと、アナログ情報生成手段からの音声情報を出力する第一外部出力端子と、デジタル情報生成手段からの音声情報を出力する第二外部出力端子とを備えていることを特徴とする。さらに、選択手段は、選択項目を画面表示する手段と、選択項目に関する操作者の操作情報に基づき選択信号を出力する手段とを備えていることを特徴とする。
【００１０】
上記のような構成を有することで、選択手段により選択された生成手段のみ音声出力されるので、二重に音声出力されることがない。したがって、デジタル化された音声情報を外部スピーカから出力して高品質の音声を堪能することができる。また、選択されなかった生成手段の電源供給を停止して出力されないようにしているので、一方が出力されているときには他方は電源供給が行われなくなり、その分消費電力を低減できる。
【００１１】
また、ＤＶＤ又はＣＤに記録された記録情報からデジタル化された音声情報を再生する場合には、外部スピーカから音声情報に基づいて出力できるようになり、高品質の映像とともに高品質の音声が出力されてＤＶＤ又はＣＤのメリットを十分発揮することが可能となる。テレビジョン受信信号からアナログ化された音声情報を再生する場合には、テレビジョンの音声が出力されている間は、デジタル情報生成手段への電源供給が停止されるため省電力化を図ることができる。
【００１２】
また、音声情報を出力する内蔵スピーカ及び外部出力端子を備えた表示装置においても、内蔵スピーカが使用されていないときには音声は出力されずアナログ情報生成手段にも電源供給されず、デジタル情報生成手段からの音声情報を出力する外部出力端子についても外部スピーカが接続されていないときにはデジタル情報生成手段に電源は供給されない。また、表示装置において、選択手段が選択項目を画面表示して操作者の操作により選択情報を出力することで、操作者のニーズに応じた音声出力を行うことができる。
【００１３】
【発明の実施の形態】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１４】
図１は、本発明に係る音声情報出力制御回路を備えた表示装置の全体ブロック図である。表示装置本体１は、全体制御に関する情報処理を行う本体ＣＰＵ１０、外部からのテレビジョン信号を受信するチューナ１１、映像を表示するモニタ１２、モニタ１２に内蔵された左右のスピーカ１３及び１４を有する。そして、チューナ１１からの出力信号は、クロマ信号処理回路１５で処理されて映像情報はモニタ１２に送信されて表示制御され、音声情報は本体ＣＰＵ１０から音声情報処理回路１６に送信されて左右のスピーカから音声出力される。また、音声情報処理回路１６には、外部出力端子１７が接続されており、外部に設置された音声出力装置と外部出力端子１７とを接続すれば、アナログ化された音声情報が外部出力されるようになる。
【００１５】
一方、装置本体１には、ＤＶＤ再生装置２が併設されており、ＤＶＤ再生装置２は、再生制御に関する情報処理を行うＤＶＤ用ＣＰＵ２０を有している。そして、図示しない回転制御装置により回転するディスク２１からピックアップ２２により記録された情報が読み取られ、ＭＰＥＧデコーダ２３により復号化される。復号化された情報はデジタル情報であるため、ビデオエンコーダ２４によりアナログ化されてクロマ信号処理回路１５及び音声情報処理回路１６に送信され、装置本体１のモニタ１２で映像表示されるとともに内蔵スピーカ１３及び１４で音声出力される。ＤＶＤ用ＣＰＵ２０には、外部出力端子２５が接続されており、外部に設置された音声出力装置と外部出力端子２５とを接続すれば、デジタル化された音声情報が外部出力されるようになる。
【００１６】
なお、この例では、ＤＶＤ再生装置であるが、ＣＤ再生装置を代わりに併設することもできる。その場合には、ＤＶＤ用ＣＰＵ２０をＣＤ用のＣＰＵとする等回路構成を変更すればよい。
【００１７】
また、チューナ１１にＤＶＤ再生装置２側のビデオデコーダ２６を接続して、チューナ１１で受信されたアナログ信号をデジタル信号に変換した後ＭＰＥＧエンコーダ２７で圧縮した後ピックアップ２２によりディスク２１に記録処理することもできる。
【００１８】
図２は、音声情報出力制御回路に関するブロック図である。チューナ１１で受信された信号は、音声情報変換回路３１で変換されて音声情報切換回路３２に入力される。音声情報切換回路３２には、外部入力端子３０が接続されており、外部から音声情報を入力することもできる。音声情報切換回路３２から出力された音声情報は、音声情報調整回路３３で調整された後増幅回路３４で増幅されて左右のスピーカ１３及び１４から出力される。音声情報切換回路３２には、外部出力端子１７が接続されており、上述したように外部に設置した音声出力装置を外部出力端子１７と接続して音声出力ができる。
【００１９】
一方、ＤＶＤから読み取られた音声情報は、ＤＶＤ用ＣＰＵ２０からＤ／Ａ変換回路４０に送信されてアナログ化される。そして、アナログ化された音声情報は、増幅回路４１により増幅されて音声情報切換回路３２に入力される。その後は、チューナ１１からの場合と同様に処理されてスピーカ１３及び１４から音声出力される。ＤＶＤ用ＣＰＵ２０には、外部出力端子２５が接続されており、上述したように外部に設置した音声出力装置を外部出力端子２５と接続して音声出力ができる。
【００２０】
音声情報変換回路３１、音声情報調整回路３３及び増幅回路３４に接続された電源供給ライン３５は、スイッチ回路３６を介して接地されており、音声情報切換回路３２についてもスイッチ回路３７を介して接地されている。また、Ｄ／Ａ変換回路４０及び増幅回路４１に接続された電源供給ライン４２は、スイッチ回路４３を介して接地されている。そして、スイッチ回路３６、３７及び４３は本体ＣＰＵ１０と接続されており、本体ＣＰＵ１０からの信号によりオン、オフされるようになっている。本体ＣＰＵ１０からの信号によりスイッチ回路３６がオンすると、電源供給ライン３５は接地電位となって音声情報変換回路３１、音声情報調整回路３３及び増幅回路３４への電源供給が停止される。音声情報切換回路３２についても、スイッチ回路３７がオンすると電源供給が停止される。また、本体ＣＰＵ１０からの信号によりスイッチ回路４３がオンすると、電源供給ライン４２が接地電位となってＤ／Ａ変換回路４０及び増幅回路４１への電源供給が停止する。
【００２１】
したがって、チューナ１１から信号を受信して音声情報を出力する場合には、スイッチ回路３６及び３７をオフ、スイッチ回路４３をオンにすれば、ＤＶＤ再生装置側の回路には電源が供給されずその分消費電力を低減することができる。また、ＤＶＤを再生して外部出力端子２５から音声情報を外部出力装置に送信して出力する場合には、スイッチ回路３６、３７及び４３をオンにすれば、装置本体側の回路に電源が供給されないため内蔵スピーカ１３及び１４からは音声出力がされず外部出力装置との二重出力を避けることができ、さらに電源供給停止することから消費電力を低減することができる。スイッチ回路３６のみをオンすれば、内蔵スピーカ１３及び１４からは音声出力がされないが、外部出力端子１７及び２５には音声情報が出力される状態となる。
【００２２】
以上の説明では、複数の回路を同時に１つのスイッチ回路でオン、オフするようにしているが、回路毎にスイッチ回路を設けて個別にオン、オフするようにしても構わない。
【００２３】
次に、音声情報出力の選択フローに関する例について説明する。まず、出力モードとして、予め図３に示すような３つのモードを設定しておく。通常モードでは、スイッチ回路３６、３７及び４３がすべてオフの状態で、内蔵スピーカ１３及び１４、外部出力端子１７及び外部出力端子２５にすべて音声情報が出力される。初期設定では、この通常モードが選択されている。外部モードでは、内蔵スピーカ１３及び１４には音声情報が供給されず（スイッチ回路３６がオン）、外部出力端子１７及び外部出力端子２５に音声情報が供給される（スイッチ回路４３オフ）。デジタルモードでは、内蔵スピーカ１３及び１４、外部出力端子１７には音声情報が供給されず（スイッチ回路３６及び３７がオン）、外部出力端子２５に音声情報が供給される（スイッチ回路４３オン）。
【００２４】
図４は、メニュー画面を表示して選択を行う場合の画面遷移を示している。図４（ａ）に示す初期メニュー画面で、選択項目として音声出力設定を設けておき、この項目を選択すると、図４（ｂ）のサブメニュー画面に入る。音声出力設定画面では、外部モード及びデジタルモードのいずれかを選択するようになっており、外部モードを選択すれば外部出力端子１７及び外部出力端子２５に音声情報が出力され、デジタルモードを選択すれば、外部出力端子２５のみ音声情報が出力されるように制御される。以上のように選択操作されると、それに応答して本体ＣＰＵ１０は選択信号を出力して記憶部に記憶される。
【００２５】
なお、こうして設定された出力モードは、モニタの画面上に識別マークを常時表示するようにしてもよい。例えば、デジタルモードが選択されている場合には「Ｄ」を表示するようにすればよい。また、ＤＶＤ再生時にチューナ１１からの受信画面に切り換えられた場合には、設定画面を表示するようにして選択情報を消去し初期設定に戻すようにすればよい。
【００２６】
図５では、こうして選択された情報に基づいて音声情報の出力制御を行う処理フローの例を示している。初期設定として、通常モードが設定される。そして、ＤＶＤ再生モードが開始すると（Ｓ１００）、まず本体ＣＰＵ１０は、デジタルモードが選択されているか選択信号をチェックし（Ｓ１０１）、デジタルモードが選択されている場合には、スイッチ回路３６、３７及び４３をオンするための信号を出力する（Ｓ１０２）。スイッチ回路３６、３７及び４３がオンすると、音声情報変換回路３１、音声情報切換回路３２、音声情報調整回路３３、増幅回路３４、Ｄ／Ａ変換回路４０及び増幅回路４１への電源供給が停止され（Ｓ１０３）、外部出力端子２５のみ音声情報が出力可能となる（Ｓ１０４）。
【００２７】
Ｓ１０１でデジタルモードが選択されていない場合には、本体ＣＰＵ１０は、外部モードが選択されているか選択信号をチェックし（Ｓ１０５）、外部モードが選択されている場合には、スイッチ回路３６をオンするための信号を出力する（Ｓ１０６）。スイッチ回路３６がオンすると、音声情報変換回路３１、音声情報調整回路３３及び増幅回路３４への電源供給が停止され（Ｓ１０７）、外部出力端子１７及び２５が音声情報出力可能となる（Ｓ１０８）。
【００２８】
Ｓ１０５で外部モードが選択されていない場合には、通常モードとして初期設定（スイッチ回路３６、３７及び４３がオフ）のままとなる（Ｓ１０９）。
【００２９】
【発明の効果】
以上に説明したとおり、本発明では、選択手段により選択された生成手段のみ音声出力されるので、二重に音声出力されることがない。したがって、デジタル化された音声情報を外部スピーカから出力して高品質の音声を堪能することができる。また、選択されなかった生成手段の電源供給を停止して出力されないようにしているので、一方が出力されているときには他方は電源供給が行われなくなり、その分消費電力を低減できる。
【００３０】
また、ＤＶＤ又はＣＤに記録された記録情報からデジタル化された音声情報を再生する場合には、外部スピーカから音声情報に基づいて出力できるようになり、高品質の映像とともに高品質の音声が出力されてＤＶＤ又はＣＤのメリットを十分発揮することが可能となる。テレビジョン受信信号からアナログ化された音声情報を再生する場合には、テレビジョンの音声が出力されている間は、デジタル情報生成手段への電源供給が停止されるため省電力化を図ることができる。
【００３１】
また、音声情報を出力する内蔵スピーカ及び外部出力端子を備えた表示装置においても、内蔵スピーカが使用されていないときには音声は出力されずアナログ情報生成手段にも電源供給されず、デジタル情報生成手段からの音声情報を出力する外部出力端子についても外部スピーカが接続されていないときにはデジタル情報生成手段に電源は供給されない。また、表示装置において、選択手段が選択項目を画面表示して操作者の操作により選択情報を出力することで、操作者のニーズに応じた音声出力を行うことができる。
【図面の簡単な説明】
【図１】本発明に係る表示装置に関する全体ブロック図である。
【図２】本発明に係る音声情報出力制御回路関するブロック図である。
【図３】音声情報の出力モードに関する説明図である。
【図４】操作画面の遷移に関する説明図である。
【図５】音声情報の出力制御に関する処理フローである。
【符号の説明】
１    表示装置本体
２    ＤＶＤ／ＣＤ再生装置
１０    本体ＣＰＵ
１１    チューナ
１２    モニタ
１３    内蔵スピーカ
１４    内蔵スピーカ
１５    クロマ信号処理回路
１６    音声情報処理回路
２０    ＤＶＤ／ＣＤ用ＣＰＵ
３１    音声情報変換回路
３２    音声情報切換回路
３３    音声情報調整回路
３４    増幅回路
３５    電源供給ライン
３６    スイッチ回路
３７    スイッチ回路
４０    Ｄ／Ａ変換回路
４１    増幅回路
４２    電源供給ライン
４３    スイッチ回路
【図１】
2004282138.tif 000003
【図２】
2004282138.tif 000004
【図３】
2004282138.tif 000005
【図４】
2004282138.tif 000006
【図５】
2004282138.tif 000007